(57)【特許請求の範囲】
【請求項１】
磁気回路を形成するヨークと、両端部にフランジが一体に形成された励磁コイル巻回用樹脂製ボビンと、コネクタ筒部が前面に一体に形成された樹脂製被着板とからなり、前記ボビンの一方のフランジにガイド突起と止着部とスリットを形成し、一対の導電ピンを前記止着部に止着することで該フランジの外面に該導電ピンを平行に装着し、該導電ピンの一端を折り曲げて前記ガイド突起の両側に起立させることにより該導電ピンの一端に端子を形成し、該導電ピンの他端には前記スリットから導出された励磁コイル両端の導線を半田付けし、該半田付部を該フランジ面と平行面内で内側に折り曲げ、該フランジの外面に前記被着板を重合することにより、前記コネクタ筒部中に前記端子を挿通するとともに前記半田付部が該被着板によって覆い被せられるようにし、さらに、前記ヨーク内に該ボビンを収容することで前記被着板が該ヨークの内側に挟着され、該ヨークに形成された切欠から前記コネクタ筒部が突出するようにしたことを特徴とするソレノイド。
【請求項２】
一対の端子をガイド突起の両側面に密着状態となるように起立させ、フランジの外面に被着板を重合することにより該端子がガイド突起と共にコネクタ筒部中に挿通されるようにした請求項１に記載のソレノイド。
【請求項３】
止着部は導電ピンを挿通することにより該導電ピンをフランジの外面に平行に装着し得る透孔状のものである請求項１または２に記載のソレノイド。
【発明の詳細な説明】
【０００１】
【発明の属する技術分野】
本発明は遊技機等に使用されるコネクタ付きのソレノイドに関するものである。
【０００２】
【従来の技術】
【特許文献１】
特開平０８−２２２４３２号公報
【特許文献２】
特開２００１−１４３９２５号公報
【特許文献３】
特開２００２−４３１２４号公報
【０００３】
リード線の着脱を容易とするためにコネクタが付設されたソレノイドは、上記特許文献等により知られている。ところで、上記特許文献１に記載のソレノイドは、コネクタの導電ピンの末端に励磁コイルの両端の導線を半田付けし、その半田付部を励磁コイルの外周部に折り曲げその上に絶縁テープを巻回する構成であったので、組み立ての良否によっては半田付部が励磁コイルと短絡するおそれがあり、耐電圧も低いという問題があった。
また、特許文献２に示されたソレノイドは、コネクタの背面より突出する直線状の導電ピンに励磁コイルの両端の導線を半田付けしたものであったので、導電ピンをコネクタの成形時に型内にセットし埋設しない限り導電ピンの固着性が悪いという問題がある。
また、特許文献３に記載のソレノイドでは、鉤状に折れ曲がった導電ピンが示されるが、該導電ピンもコネクタの成形時に埋設しない限り組み立てられないという問題があるほか、導電ピンの末端が狭い部分にあるので半田付け作業が行い難いという問題がある。
【０００４】
【発明が解決しようとする課題】
そこで本発明は、組み立てが容易であり、絶縁性が優れ、常に信頼度の高い製品を製作し得るソレノイドを提供しようとするものである。
【０００５】
【課題を解決するための手段】
そのために本発明は、磁気回路を形成するヨークと、両端部にフランジが一体に形成された励磁コイル巻回用樹脂製ボビンと、コネクタ筒部が前面に一体に形成された樹脂製被着板とからなり、前記ボビンの一方のフランジにガイド突起と止着部とスリットを形成し、一対の導電ピンを前記止着部に止着することで該フランジの外面に該導電ピンを平行に装着し、該導電ピンの一端を折り曲げて前記ガイド突起の両側に起立させることにより該導電ピンの一端に端子を形成し、該導電ピンの他端には前記スリットから導出された励磁コイル両端の導線を半田付けし、該半田付部を該フランジ面と平行面内で内側に折り曲げ、該フランジの外面に前記被着板を重合することにより、前記コネクタ筒部中に前記端子を挿通するとともに前記半田付部が該被着板によって覆い被せられるようにし、さらに、前記ヨーク内に該ボビンを収容することで前記被着板が該ヨークの内側に挟着され、該ヨークに形成された切欠から前記コネクタ筒部が突出するようにしたことを特徴とする。
また、本発明は上記ソレノイドにおいて、一対の端子をガイド突起の両側面に密着状態となるように起立させ、フランジの外面に被着板を重合することにより該端子がガイド突起と共にコネクタ筒部中に挿通されるようにしたことを特徴とする。
また、本発明は上記ソレノイドにおいて、止着部は導電ピンを挿通することにより該導電ピンをフランジの外面に平行に装着し得る透孔状のものであることを特徴とする。
【０００６】
【発明の実施の形態】
次に本発明の実施の形態を図面に従い説明する。図１は本発明に係るソレノイドの外観斜視図、図２はその横断面図、図３は図２のＡ−Ａ線断面図、図４は図２のＢ−Ｂ線断面図である。図中、１は強磁性金属板をコ字状にプレス成形してなるヨーク、２は磁気回路を形成するため該ヨークの両先端に継着される強磁性金属材からなる繋板である。また、３は該ヨーク内に非磁性金属材からなるリベット４により固着した鉄心、５は非磁性金属材からなるスライド筒、６は該スライド筒内にて軸方向に進退動し得るように配置された強磁性金属材からなるプランジャーである。
【０００７】
図５に分解斜視図を示したように、１０は筒部１１の両端にフランジ１２，１３を一体に形成した励磁コイル巻回用樹脂製（絶縁性）ボビンで、その一方のフランジ１２は正方形板状に形成されている。１４は該筒部１１の中心孔を示す。フランジ１２は上辺の中央部分に沿って肉薄部１５を形成することにより長方形状の凹部１６を形成し、該凹部１６の中央に角柱状のガイド突起１７を一体に突設している。また、中心孔１４の両側に縦長の細溝１８を形成し、該細溝の上下部に該フランジ面に沿う透孔状の止着部１９ａ〜１９ｄを形成している。また、フランジ１２の外面の下側部の略三角形状部分を肉薄部２０に形成することにより、略三角形状の凹部２１を形成し、該肉薄部２０の中央に筒部１１の表面まで内端部が延びる半径方向のスリット２２を形成している。２３ａ，２３ｂは一端を前方に直角に折り曲げて端子２４を形成した一対の長軸状の導電ピンで、該導電ピンを前記止着部１９ａ〜１９ｄに挿通することで該フランジの外面に該導電ピンを平行に装着する。そして、該各導電ピンの上部をさらに内側に直角に折り曲げることにより図７に示したように前記端子２４を前記ガイド突起１７の両側に起立させる。その際、端子２４をガイド突起１７の両側面に密着状態となるように導電ピンの折り曲げ部位を設定する。
【０００８】
また、ボビン１０に励磁コイル２５を巻回し、図２に示したように、該励磁コイル２５の両端の導線２６，２７を前記導電ピン２３ａ，２３ｂの他端に半田付けし、該半田付部２８を該フランジ面と平行面内で内側に折り曲げることにより該半田付部を略三角形状の前記凹部２１に収容する。
【０００９】
一方、図６にも示したように、３０は正方形枠状の樹脂製（絶縁性）被着板で、該被着板はその前面上部中央にコネクタ筒部３１が一体に形成されたものであり、また、上部裏面にフランジ１２の凹部１６に嵌着する長方形部３２が形成され、該長方形部に前記ガイド突起１７が嵌合する四角状の嵌合孔３２ａ、および、該嵌合孔３２ａの両側に前記端子２４が収まり得るガイド溝３２ｂが形成され、さらに該フランジ１２の下部裏面には前記凹部２１に被る長手カバー部３３と三角形状カバー部３４が一体に形成されている。また、３６は被着板３０の背面に突設された一対の縦リブである。そして、図９に示したように、該被着板３０をフランジ１２の外面に重ね合わせることで、コネクタ筒部３１中に一対の端子２４をガイド突起１７と共に挿通し、該ガイド突起１７を嵌合孔３２ａに嵌合し、該端子２４をガイド溝３２ｂからコネクタ筒部３１中に起立させるとともに、縦リブ３６を前記細溝１８に嵌合させる。これによって前記半田付部２８が長手カバー部３３と三角形状カバー部３４によって覆い被せられる。なお、３７は励磁コイル２５の外周に巻着した絶縁テープである。また、前記スライド筒５はボビン１０の内周に配置される。
【００１０】
そして、図９に示したように、前記ヨーク１に形成された切欠７に上記コネクタ筒部３１を合致させることにより該コネクタ筒部を該切欠より突出させ、該ヨーク１内にボビン１０を収容するとともに、前記繋板２を該ヨーク１の端部にカシメ止めし、該ヨーク１に開設された止孔８に前記リベット４により鉄心３を固着し、該鉄心を前記スライド筒５中に位置させ、被着板３０が該ヨーク１の内側に挟着されるように組み立てる。なお、プランジャー６は強磁性金属材からなり、スライド筒５内にて軸方向に進退動し得るように配置される。
【００１１】
このように構成したソレノイドでは、コネクタ筒部３１に対となる電源コネクタ（図示せず）を差し込むことにより、導電ピン２３ａ，２３ｂを介して励磁コイル２５に通電され、その励起磁力によりプランジャー６が進退動し、パチンコ遊技機の可変入賞装置等を作動させられる。
【００１２】
そしてこのソレノイドでは、一対の長軸状の導電ピン２３ａ，２３ｂを止着部１９ａ〜１９ｄに挿通することでフランジ１２の外面に平行に装着し、該各導電ピンの一端に折曲形成した端子２４をガイド突起１７の両側に起立させ、コネクタ筒部３１中に該ガイド突起１７を挿通することにより該端子２４をコネクタ筒部３１中に起立させるようにしたことから、該端子２４の基部はこの挟着により強固に支持され、成形時に埋設する構造を採らなくとも、電源コネクタを抜き差しする際に端子２４が位置ずれしたり破損するおそれがない。
なお、導電ピン２３ａ，２３ｂは、止着部１９ａ〜１９ｄに挿通した後に内側に折り曲げることなく、予め折り曲げられたものを挿通してもよい。また、本発明では必ずしもこの実施形態のような導電ピンの折り曲げを必要とするものではない。
【００１３】
また、導電ピン２３ａ，２３ｂの他端は、図７に示したように、フランジ１２の下方に突出させた状態とすることでコテ先を近づけ易くでき、導線２６，２７を容易に半田付けできるようになる。
【００１４】
また、半田付部２８は、フランジ面と平行面内で内側に折り曲げることで略三角形状の前記凹部２１に収容され、フランジ１２の外側で被着板３０によってヨーク１の内側に挟着されることから、位置決めが容易であるとともに、外力により妄動し難くなるので、半田付部２８を励磁コイル２５およびヨーク１から電気的に完全に隔絶することができ、絶縁性が増し耐電圧が高くなり短絡するおそれをなくす。そして、組み立て不良のおそれが少なく品質維持が容易となる。
【００１５】
【発明の効果】
このように本発明のソレノイドは、磁気回路を形成するヨークと、両端部にフランジが一体に形成された励磁コイル巻回用樹脂製ボビンと、コネクタ筒部が前面に一体に形成された樹脂製被着板とからなり、前記ボビンの一方のフランジにガイド突起と止着部とスリットを形成し、一対の導電ピンを前記止着部に止着することで該フランジの外面に該導電ピンを平行に装着し、該導電ピンの一端を折り曲げて前記ガイド突起の両側に起立させることにより該導電ピンの一端に端子を形成し、該導電ピンの他端には前記スリットから導出された励磁コイル両端の導線を半田付けし、該半田付部を該フランジ面と平行面内で内側に折り曲げ、該フランジの外面に前記被着板を重合することにより、前記コネクタ筒部中に前記端子を挿通するとともに前記半田付部が該被着板によって覆い被せられるようにし、さらに、前記ヨーク内に該ボビンを収容することで前記被着板が該ヨークの内側に挟着され、該ヨークに形成された切欠から前記コネクタ筒部が突出するようにしたことから、主要部品がヨーク内に強固に組み立てられ、外力に対し破損し難い頑強な構造となり得る。また、半田付部がヨークの内側にてフランジと被着板に挟着され、励磁コイルやヨーク等の導電性部材から確実に隔絶されるので、絶縁性が増し耐電圧が高い信頼性ある製品を容易に組み立て得るようにする顕著な効果がある。
【図面の簡単な説明】
【図１】本発明に係るソレノイドの実施の形態を示した外観斜視図。
【図２】図１のソレノイドの要部の横断面図。
【図３】図２のＡ−Ａ線断面図。
【図４】図２のＢ−Ｂ線断面図。
【図５】図１のソレノイドのボビンと被着板と導電ピンの分解斜視図。
【図６】図５の被着板の裏面の斜視図。
【図７】図５のボビンと導電ピンの半田付け状態を示した斜視図。
【図８】図７の導電ピンの半田付部の折り曲げ状態を示した斜視図。
【図９】図１のソレノイドのヨークと励磁コイルとの分解斜視図。
【符号の説明】
１              ヨーク
２              繋板
６              プランジャー
７              切欠
１０            ボビン
１２，１３      フランジ
１７            ガイド突起
１９ａ〜１９ｄ  止着部
２２            スリット
２３ａ，２３ｂ  導電ピン
２４            端子
２５            励磁コイル
２６，２７      導線
２８            半田付部
３０            樹脂製被着板
３１            コネクタ筒部
【図１】
0003699442.tif 000002
【図２】
0003699442.tif 000003
【図３】
0003699442.tif 000004
【図４】
0003699442.tif 000005
【図５】
0003699442.tif 000006
【図６】
0003699442.tif 000007
【図７】
0003699442.tif 000008
【図８】
0003699442.tif 000009
【図９】
0003699442.tif 000010